(57)【要約】【課題】足の指の汗の吸収性及び履き心地が良いと共に足から脱げ難く、かつ、ルックス上においても抵抗なく着用できる足カバーを提供する。【解決手段】足の爪先から踵部までを被覆して着用する足カバーにおいて、足挿入用の開口部１０の一端部側に足先部カバー部１１を有すると他端部側に踵部カバー部１２を有する足カバー本体１と、基端側を開口２０し、足先部カバー部内に配置して足カバー本体に固着して設けた指カバー体２とを備える。指カバー体は、足の所望の指を挿入する複数個の指カバーで構成した指挿入用カバー部２２を備えて構成する。【選択図】図１
0003165725.tif 000002
【実用新案登録請求の範囲】
【請求項１】
足の爪先から踵部までを被覆して着用する足カバーにおいて、
足挿入用の開口部の一端部側に足先部カバー部を有すると共に他端部側に踵部カバー部を有する足カバー本体と、基端側を開口し、前記足先部カバー部内に配置して基端側を前記足カバー本体に固着して設けた指カバー体とを備え、
前記指カバー体は、足の所望の指を挿入する複数個の指カバーで構成した指挿入用カバー部を備えて構成されている
ことを特徴とする足カバー。
【請求項２】
前記指挿入用カバー部は、第１趾ないし第５趾の５本の指をそれぞれ１本づつ区分けして挿入する５個の指カバーで構成されていることを特徴とする、請求項１に記載の足カバー。
【請求項３】
前記指挿入用カバー部は、第１趾を挿入する第１の指カバーと、第２趾ないし第５趾の４本の指をまとめて挿入する第２の指カバーとで構成されていることを特徴とする、請求項１に記載の足カバー。
【請求項４】
前記指挿入用カバー部は、第１趾を挿入する第１の指カバーと、第２趾ないし第５趾の４本の指を所望本づつ２組に区分けして挿入する第２の指カバー及び第３の指カバーとで構成されていることを特徴とする、請求項１に記載の足カバー。
【考案の詳細な説明】
【技術分野】
【０００１】
本考案は、足カバー、さらに詳しくは、足の爪先から踵部までだけを被覆して着用する足カバー（カバーソックスとも称される）に関する。
【背景技術】
【０００２】
例えば、素足にハイヒール等を履いた場合、そのままでは足とハイヒールの間に汗が溜まったり、靴ずれを起こすおそれがある。そのため、足に着用してもハイヒール内にかくれて外部からは靴下を着用していることが見えない靴下、すなわち足カバーが一般に使用されている。
【０００３】
従来、足カバーとして、足挿入用の開口部の一端部側に足先部カバー部を形成すると共に他端部側に踵部カバー部を形成して構成したものが一般に知られている（例えば、特許文献１〜３参照）。特許文献１〜３の足カバー（以下、「先行技術１〜３の足カバー」という）により、上述した靴ずれの問題は解消することができる。
【０００４】
しかしながら、先行技術１〜３の足カバーは、いずれも足の親指（第１趾）及び第２趾〜第５趾の５本の指を足先部カバー部内にまとめて挿入して着用するように構成されているので、次のような改良すべき問題点を有している。
（１）足先部カバー部に５本の指がまとめて挿入されているので、汗の吸収性が悪い。
（２）履き心地が悪いと共に足カバーが足から脱げ易い問題を有している。
【０００５】
また、近時においては、足先部カバー部を足袋靴下状に形成した足カバー（以下、「先行技術４の足カバー」という）や足先部カバー部を５本指靴下状に形成した足カバー（以下、「先行技術５の足カバー」という）が提案ないし開発が試みられている。
先行技術４及び５の足カバーによれば、先行技術１〜３の足カバーの有する上述した（２）の問題を解消することができる。しかるに、先行技術４及び５の足カバーにおいても上述した（１）の問題は解消できないと共に、次のようなルックス上の問題を有している。
即ち、足袋靴下や５本指靴下は、そのルックスに抵抗感を持つユーザー（主に女性）がいる。このようなユーザーの場合、先行技術４及び５の足カバーはルックスが気になるので、着用することは極めて少ない。
【先行技術文献】
【特許文献】
【０００６】
【特許文献１】実用平７−１５７０３号公報
【特許文献２】登録実用新案第３０１２５５７号公報
【特許文献３】特開２００１−２５４２０３号公報
【考案の概要】
【考案が解決しようとする課題】
【０００７】
本考案は上記したような実情に鑑みてなされたもので、先行技術１〜３の足カバーの有する上記（１）及び（２）の問題点を解消すると共に先行技術４及び５の足カバーの有する上述した問題点を解消した足カバーを提供することを目的とするものである。
【課題を解決するための手段】
【０００８】
上記目的を達成するため、本考案のうち１つの考案（第１の考案）は、足の爪先から踵部までを被覆して着用する足カバーにおいて、
足挿入用の開口部の一端部側に足先部カバー部を有すると共に他端部側に踵部カバー部を有する足カバー本体と、基端側を開口し、前記足先部カバー部内に配置して基端側を前記足カバー本体に固着して設けた指カバー体とを備え、
前記指カバー体は、足の所望の指を挿入する複数個の指カバーで構成した指挿入用カバー部を備えて構成されていることを特徴とする。なお、本考案において「足カバー」の用語は、「カバーソックス」と同義語として用いられている。
【０００９】
本考案のうち、他の１つの考案（第２の考案）は、第１の考案の足カバーにおいて、前記指挿入用カバー部は、第１趾ないし第５趾の５本の指をそれぞれ１本づつ区分けして挿入する５個の指カバーで構成されていることを特徴とする。
【００１０】
本考案のうち、さらに他の１つの考案（第３の考案）は、第１の考案の足カバーにおいて、前記指挿入用カバー部は、第１趾を挿入する第１の指カバーと、第２趾ないし第５趾の４本の指をまとめて挿入する第２の指カバーとで構成されていることを特徴とする。
【００１１】
本考案のうち、さらに他の１つの考案は、前記指挿入用カバー部は、第１趾を挿入する第１の指カバーと、第２趾ないし第５趾の４本の指を所望本づつ２組に区分けして挿入する第２の指カバー及び第３の指カバーとで構成されていることを特徴とする。
【考案の効果】
【００１２】
本考案によれば、次のような効果を奏する。
（１）足カバー本体と、前記本体の足先部カバー部内に固着して設けた指カバー体とを備え、指カバー体は、足の所望の指を挿入する複数個の指カバーで構成した指挿入用カバー部を備え、足の所望の指を指カバーへ挿入して着用するように構成されているので、指挿入用カバー部と指との密着度が高くなる。したがって、足の指の汗の吸収性が良好に行なえる。
（２）指挿入用カバー部の指カバーへ足の指を挿入して着用するので、履き心地が良好になると共に足カバーが足から脱げ難くなる。したがって、足カバーを着用中に、足カバーが不用意に足から脱げるのを防止できる。
（３）指カバー体は、外部から見えないので、外観上は通常の足カバーと同じになる。したがって、上述したルックス上の問題を解消することができる。
（４）指カバー体を備えているので、防臭効果や抗菌効果を付与し易くなる。
【図面の簡単な説明】
【００１３】
【図１】本考案の一実施形態の足カバーの構成を概略的に示す図であって、同図（ａ）は平面図、同図（ｂ）は底面図、同図（ｃ）は指カバー体を示す斜視図、同図（ｄ）は同図（ａ）のＡ−Ａ線断面説明図である。
【図２】前記足カバーを着用した状態を示す説明図である。
【図３】本考案の他の実施形態の足カバーの構成を概略的に示す図であって、同図（ａ）は平面図、同図（ｂ）は底面図、同図（ｃ）は指カバー体を示す平面説明図、同図（ｄ）は同図（ａ）のＢ−Ｂ線断面説明図である。
【考案を実施するための形態】
【００１４】
以下、図面を参照して本考案の足カバーの実施形態の一例について説明する。
【００１５】
図１及び図２は、本考案の一実施形態（実施形態１）の足カバーを示す。図１及び図２に示すように、実施形態１の足カバーは、足３の爪先から踵部までを被覆して着用する足カバーであって、足カバー本体１と、指カバー体２とを備える。
【００１６】
足カバー本体１は、本体１の上部に設けた所望の大きさの足挿入用の開口部１０（足挿入口）と、開口部１０の一端部側に形成した足先部カバー部１１と、他端部側に形成した踵部カバー部１２と、足の両側部を被覆する側部カバー部１３ａ，１３ｂと、足底カバー部１４とを備える。
【００１７】
足カバー本体１の構成素材や製造方法は特に限定するものではない。例えば、綿その他の所望の天然繊維製の糸やポリウレタンその他の合成繊維製の糸、或いは、前記両糸を併用した糸材等を用いて従来と同様に編製（編成）する等により製造できる。この点においては後述する実施形態においても同様である。
【００１８】
足カバー本体１の開口部１０の周縁部には全周に亘ってゴム糸等の弾性糸等を用いて伸縮部１５が形成されている。伸縮部１５の構成は従来の製造方法と同様の方法を採用できる。
【００１９】
指カバー体２は、基端側を開口２０し、先端側を足先部カバー部１１の先端側に向けて足先部カバー部１１内に配置して基端側を足カバー本体１に縫着２１等（本実施形態１では縫着２１）により固着して設けてある。本実施形態１では、開口２０部の縁部全体を足カバー本体１に縫着２１して固着する方法を採用している。
【００２０】
指カバー体２は、足３の所望の指を挿入する複数個の指カバーで構成した指挿入用カバー部２２を備えている。実施形態１の指挿入用カバー２２は、足の親指（第１趾），第２趾，第３趾，第４趾及び第５趾をそれぞれ１本宛づつ区分けして挿入する５個の指カバー２２ａ…２２ｅで構成されている。
【００２１】
指カバー体２の構成素材や製造方法は特に限定するものではない。例えば、綿，絹その他天然繊維製の糸、或いは所望の合成繊維製の糸材等を用いて編製（編成）し、或いは布帛等の生地材を用いて縫製する等により製造できる。なお、指カバー体２は吸水性及び通気性を備えている方が好ましい。また、指カバー体２の構成素材として、抗菌糸や抗菌加工を施した糸材や生地を採用することもできる。この点については後述する実施形態においても同様である。
【００２２】
実施形態１の足カバーは上記のように構成し、足の親指（第１趾）を指カバー２２ａ、第２趾を指カバー２２ｂ等のように、第１趾ないし第５趾の５本の指をそれぞれ１本づつ区分けして所定の指カバー２２ａ…２２ｅに挿入し、図２に示すように、足の爪先から踵部までを被覆して着用するものである。
なお、実施形態１では、左足用の足カバーについて開示したが、右足用の足カバーは左足用と対称的に構成するものである。この点については後述する実施形態においても同様である。
【００２３】
実施形態１の足カバーによれば次のような作用効果を奏する。
（１）指挿入用カバー部は５個の指カバーで構成され、足の５本の指を１本づつ区分けして所定の各指カバーへ挿入して着用するように構成されているので、指挿入用カバー部と各指との密接度が高くなり、汗の吸収性が良好になる。
（２）各指カバーへ足の指を１本づつ分けて挿入して着用するので、履き心地が良いと共に足カバーが不用意に足から脱げるのを防止できる。
（３）外観上は通常の足カバーと同様であるため、ルックス上の問題を解消して着用することができる。
（４）指カバー体を備えているので、防臭作用や抗菌作用を付与し易くなる。
【００２４】
図３は本考案の他の実施形態（実施形態２）を示す。実施形態２の足カバーにおいて、実施形態１で既に説明した構成と共通する構成部等には同一符号を付して説明を省略する。実施形態２の足カバーは指カバー体２Ａの指挿入用カバー部２２Ａの構成に特徴がある。
【００２５】
実施形態２の指カバー体２Ａの指挿入用カバー部２２Ａは、足の親指（第１趾）を挿入する第１の指カバー２３ａと、第２趾ないし第５趾の４本の指をまとめて挿入する第２の指カバー２３ｂとで構成されている。
【００２６】
実施形態２では、指カバー体２Ａの生地同士の所定部位をミシン等で縫着２４して２股状に形成し、第１の指カバー２３ａと第２の指カバー２３ｂを形成してある。この場合において、前記縫着２４のミシン目は足カバー本体１の外部に見えないよう縫い付ける。また、実施形態２の指カバー体２Ａは、実施形態１と同様に開口２０部の縁部全体を足カバー本体１に縫着２１して固着する方法を採用している。他の構成は実施形態１と同様である。
【００２７】
実施形態２の足カバーは上記のように構成し、足の親指（第１趾）を第１の指カバー２３ａに挿入すると共に第２趾〜第５趾の４本の指を第２の指カバー２３ｂにまとめて挿入し、実施形態１と同様に足の爪先から踵部までを被覆して着用するものである。これにより、実施形態１の足カバーと同様の作用効果を奏する。
【００２８】
なお、上述した実施形態では、指挿入用カバー部の構成として、二種類の形態で構成した例を開示したが、例えば、第１趾を挿入する第１の指カバーと、第２趾ないし第５趾の４本の指を所望本づつ２組に区分けして挿入する第２の指カバー及び第３の指カバーとで構成することもできる。この構成を採用した足カバーによっても実施形態１の足カバーと同様の作用効果を奏する。
【００２９】
また、本考案においては、所望に応じ、足先部カバー部１１の足底カバー部１４上に適当な大きさのマット状に形成したクッション材（図示せず）を重合して縫着等により足底カバー部１４に固着して設けてもよい。この構成を採用することにより、足底カバー部１４の足先部カバー部側にクッション性を付与することができる。
【００３０】
なお、上記した各実施形態の足カバーは一例として開示したもので、本考案は上記実施形態に限定されるものではなく、実用新案登録請求の範囲に記載の技術思想を越脱しない範囲において任意に変更可能なものである。
【符号の説明】
【００３１】
１        足カバー本体
２        指カバー体
１０      開口部
１１      足先部カバー部
１２      踵部カバー部
２０      開口
２２      指挿入用カバー部
【図１】
0003165725.tif 000003
【図２】
0003165725.tif 000004
【図３】
0003165725.tif 000005